(57)【要約】【課題】霧化装置を用い、除菌作用のあるミストを生成して貯蔵室に供給することができ、清潔で安全な冷蔵庫を提供する。【解決手段】実施形態の冷蔵庫は、冷蔵温度帯の貯蔵室を有する冷蔵庫であって、ミストを放出するミスト放出部を有する静電霧化装置を備え、静電霧化装置は、貯蔵室の上方に位置する仕切板に設置され、仕切板の下面に沿って冷気を流す通路が設けられ、静電霧化装置の放出口の下方には部材があり、その部材にあって放出口の下方に対応する位置は閉鎖されている一方、部材にあって放出口の下方に位置させて当該放出口と連通するミスト放出口が設けられ、ミスト放出部から放出されたミストは、放出口からミスト放出口を経て通路を通り、貯蔵室内に供給され、循環する。【選択図】図６
2020176827.tif 000002
【特許請求の範囲】
【請求項１】
冷蔵温度帯の貯蔵室を有する冷蔵庫において、
ミストを放出するミスト放出部を有する静電霧化装置を備え、
前記静電霧化装置は、前記貯蔵室の上方に位置する仕切板に設置され、前記仕切板の下面に沿って冷気を流す通路が設けられ、前記静電霧化装置の放出口の下方には部材があり、その部材にあって前記放出口の下方に対応する位置は閉鎖されている一方、前記部材にあって前記放出口の下方に位置させて当該放出口と連通するミスト放出口が設けられ、
前記ミスト放出部から放出されたミストは、前記放出口から前記ミスト放出口を経て前記通路を通り、前記貯蔵室内に供給され、循環する冷蔵庫。
【発明の詳細な説明】
【技術分野】
【０００１】
本発明は、霧化装置で発生したミストを貯蔵室に供給する構成とした冷蔵庫に関する。
【背景技術】
【０００２】
従来、冷蔵庫において、ミスト発生手段を、貯蔵室のうちの野菜室に設けて、そのミスト発生装置から発生したミストを野菜室に供給することにより、野菜の鮮度保持を行う構成が考えられている（例えば、特許文献１参照）。また、このようなミスト発生手段を、野菜等に付着した農薬等の有害物質の除去に利用したり（例えば、特許文献２参照）、或いは殺菌や脱臭に利用したり（例えば、特許文献３参照）することも考えられている。
【先行技術文献】
【特許文献】
【０００３】
【特許文献１】特許第４１７９３９８号公報
【特許文献２】特開２００８−１１６１９８号公報
【特許文献３】特開２００３−７９７１４号公報
【発明の概要】
【発明が解決しようとする課題】
【０００４】
本発明は上記した事情に鑑みてなされたものであり、その目的は、ミスト発生手段として霧化装置を用い、ミストを生成して貯蔵室に供給することができ、清潔で安全な冷蔵庫を提供することにある。
【課題を解決するための手段】
【０００５】
実施形態の冷蔵庫は、冷蔵温度帯の貯蔵室を有する冷蔵庫であって、ミストを放出するミスト放出部を有する静電霧化装置を備え、静電霧化装置は、貯蔵室の上方に位置する仕切板に設置され、仕切板の下面に沿って冷気を流す通路が設けられ、静電霧化装置の放出口の下方には部材があり、その部材にあって放出口の下方に対応する位置は閉鎖されている一方、部材にあって放出口の下方に位置させて当該放出口と連通するミスト放出口が設けられ、ミスト放出部から放出されたミストは、放出口からミスト放出口を経て通路を通り、貯蔵室内に供給され、循環する。
【図面の簡単な説明】
【０００６】
【図１】本発明の第１の実施形態を示す冷蔵庫全体の縦断側面図
【図２】静電霧化装置を設置した付近の概略的斜視図
【図３】静電霧化装置を設置した付近の概略的平面図
【図４】給水機構部分の縦断側面図
【図５】野菜容器と静電霧化装置との位置関係を示す概略的斜視図
【図６】静電霧化装置設置部分の縦断側面図
【図７】図６とは異なる位置での静電霧化装置部分の縦断側面図
【図８】本発明の第２の実施形態を示す静電霧化装置部分の縦断正面図
【図９】本発明の第３の実施形態を示す図３相当図
【図１０】図５相当図
【図１１】蓋を閉じた状態で示す静電霧化装置の概略的斜視図
【図１２】蓋を開けた状態で示す静電霧化装置の概略的斜視図
【図１３】静電霧化装置の縦断正面図
【図１４】本発明の第４の実施形態を示す図４相当図
【図１５】本発明の第５の実施形態を示す静電霧化装置設置部分の縦断側面図
【図１６】本発明の第６の実施形態を示すもので、チルドケースなどを除いた状態で、冷蔵用冷却器のＲエバカバー部分を正面から見た図
【図１７】図１６のＸ１−Ｘ１線に沿う縦断側面図
【図１８】本発明の第７の実施形態を示す図１６相当図
【図１９】図１８のＸ２−Ｘ２線に沿う縦断側面図
【図２０】本発明の第８の実施形態を示す静電霧化装置設置部分の縦断側面図
【図２１】静電霧化装置の給電装置部分の縦断側面図
【図２２】本発明の第９の実施形態を示す図１相当図
【発明を実施するための形態】
【０００７】
（第１の実施形態）
以下、本発明の第１の実施形態について図１から図７を参照して説明する。まず、図１において、冷蔵庫本体１の断熱箱体２は、外箱と内箱との間に発泡断熱材を充填して形成されている。この冷蔵庫本体１の内部には、上方から冷蔵室３、野菜室４、そして製氷室５と小冷凍室（図示せず）を左右に併設し、最下部に冷凍室７を配設している。このうち、冷蔵室３及び野菜室４は、庫内温度が１〜４℃に制御される冷蔵温度空間であり、どちらも冷蔵温度帯の貯蔵室を構成する。これら冷蔵室３及び野菜室４は、同じ冷蔵温度帯の貯蔵室であることから、基本的に合成樹脂により形成された仕切板８によって上下に区画されている。他の貯蔵室の製氷室５、小冷凍室及び冷凍室７は、冷凍温度帯の貯蔵室を構成するものである。なお、小冷凍室は、使用者によって設定温度を切り替えることが可能な温度切替室としてもよい。冷蔵温度帯の下部の野菜室４と、これのすぐ下に存する冷凍温度帯の製氷室５及び小冷凍室との間は、断熱仕切壁９によって区画されている。
【０００８】
冷蔵室３は、横開き式の回動可能な扉３ａによって開閉され、他の野菜室４、製氷室５、小冷凍室及び冷凍室７は、それぞれ引き出し式の扉４ａ，５ａ，７ａによって開閉されるようになっている。なお、各貯蔵室（冷蔵室３、野菜室４、製氷室５、小冷凍室、冷凍室７）には、対応する扉３ａ、４ａ，５ａ，７ａの開閉を検出する扉スイッチ（図示せず）が設けられている。製氷室５には、製氷皿１１を備えた自動製氷装置１２（製氷装置）が配設されている。
【０００９】
冷蔵室３の下部の背部には冷蔵用冷却器１３が配設され、野菜室４の背部には、この冷蔵用冷却器１３により冷却された冷気を冷蔵温度帯の貯蔵室である冷蔵室３及び野菜室４内に供給して循環させる冷蔵用ファン１４が配設されている。冷蔵室３の後面には、冷気ダクト１５が設けられている。この冷気ダクト１５には複数の冷気吹出し口１５ａが形成されていて、冷気ダクト１５内を通る冷気が冷気吹出し口１５ａから冷蔵室３内に吹き出される。
【００１０】
また、冷凍室７の背部には冷凍用冷却器１６が配設され、製氷室５及び小冷凍室の背部には、冷凍用冷却器１６により冷却された冷気を冷凍温度帯の貯蔵室である製氷室５、小冷凍室及び冷凍室７に供給して循環させる冷凍用ファン１７が配設されている。冷蔵庫本体１の後底部には機械室１８が形成されていて、ここに冷凍サイクルのコンプレッサ１９が配設されている。このコンプレッサ１９は、冷蔵用冷却器１３と冷凍用冷却器１６に共用のものである。
【００１１】
冷蔵室３内の下部には、図２に示すように、仕切板８の上方に位置させて、左端に製氷用給水タンク２０が着脱可能にセットされ、この製氷用給水タンク２０の右隣に引出し式の小物ケース２１と卵ケース２２が上下２段に設けられ、右側にチルド室２３が設けられている。チルド室２３にはチルドケース２４が設けられている。この場合、製氷用給水タンク２０、小物ケース２１、卵ケース２２、チルド室２３の前端は、仕切板８の前端よりも後方に位置していて、仕切板８の前部８ａの上方には空間部が形成されている。この空間部は、冷蔵室３における扉３ａの内面に設けられたドアポケット２５（図１参照）のためのスペースになっている。
【００１２】
前記製氷用給水タンク２０の後方には、図３に示すように水受け容器２８が設置されている。これら製氷用給水タンク２０と水受け容器２８との間には、製氷用給水タンク２０の水を水受け容器２８側へ供給するための給水機構２９が設けられている。この給水機構２９は、次のような構成となっている。図４に示すように、水受け容器２８の下方にはポンプ用モータ３０が設けられ、前記製氷用給水タンク２０にはポンプ３１が設けられていて、ポンプ用モータ３０により非接触でポンプ３１を駆動する構成となっている。
【００１３】
詳細には示されてはいないが、その駆動原理を簡単に説明する。ポンプ用モータ３０の先端部には、当該ポンプ用モータ３０により回転駆動される永久磁石３２が設けられ、その永久磁石３２の回転により、製氷用給水タンク２０内のポンプ３１のポンプ羽根が回転し、ポンプ動作が行なわれる。ポンプ動作が行なわれると、製氷用給水タンク２０内の水が汲み上げられて、給水パイプ３３を介して水受け容器２８に供給される。水受け容器２８に供給された水は、給水パイプ３４を介して、前記自動製氷装置１２の製氷皿１１へ供給される構成となっている。
【００１４】
さて、冷蔵室３と野菜室４との間を仕切る前記仕切板８の前部８ａに、静電霧化装置３６が設置されており、以下、この静電霧化装置３６の構成について、図６及び図７も参照して説明する。静電霧化装置３６は、図２及び図３に示すように、仕切板８の前部８ａにおいて、左右方向のほぼ中央部に配置されている。仕切板８の下面には、静電霧化装置３６を設置するためのベース板３７が取り付けられ、仕切板８には、静電霧化装置３６の霧化ユニット３８を出し入れするための開口部３９が形成されている。仕切板８には、その開口部３９を開閉する蓋４０が前後方向にスライド可能に設けられている。仕切板８とベース板３７との間には、霧化ユニット３８を収容するためのユニット収容部４１が設けられている。
【００１５】
霧化ユニット３８は、水Ｗを貯留する貯水タンク４３（貯水部に相当）と、この貯水タンク４３の上部に組み付けられた上部ケース４４と、この上部ケース４４を上方から覆うユニット蓋４５とを有している。上部ケース４４には、導電性シート４６と、保水材４７と、吸水ピン４８と、複数本のミスト放出部４９が設けられている。
【００１６】
このうち、導電性シート４６は、例えば、ポリエステル繊維と、導電性物質としてのカーボン繊維を混ぜてフェルト状（不織布状）に形成したもので、保水性、水分の吸い上げ特性と、導電性を有していて、上部ケース４４内の上部に配置されている。
【００１７】
保水材４７は、例えばウレタンスポンジからなり、保水性及び水分の吸い上げ特性に優れていて、上面が導電性シート４６の下面に接触する状態で配置されている。保水材４７は、導電性シート４６よりも厚く形成されている。
【００１８】
吸水ピン４８は、例えば、ポリエステル繊維を撚り合せてピン状に形成したもので、保水性と、水分の吸い上げ特性に優れている。この吸水ピン４８は、上端部が前記保水材４７を貫通して導電性シート４６に接触している。また、吸水ピン４８の下端部は、上部ケース４４の筒部４４ａを通して貯水タンク４３内の水Ｗの中に挿入された状態となっている。
【００１９】
ミスト放出部４９は、例えば、ポリエステル繊維と、導電性物質としてのカーボン繊維を混ぜて撚り合せてピン状に形成したもので、吸水ピン４８と同様に保水性及び水分の吸い上げ特性を有するとともに、導電性シート４６と同様に導電性を有している。各ミスト放出部４９には、白金ナノコロイドを担持させている。白金ナノコロイドは、例えば、当該白金ナノコロイドを含む処理液にミスト放出部４９を浸漬して、これを焼成することによって担持させることができる。これら各ミスト放出部４９は、それぞれの上端部が導電性シート４６に接触している。
【００２０】
また、各ミスト放出部４９の下端部は、上部ケース４４を貫通して上部ケース４４の下方へ垂下する状態で突出している。上部ケース４４には、それらミスト放出部４９を覆うように放出部カバー５０が着脱可能に設けられている。その放出部カバー５０には、ミスト放出部４９の下方に位置させて、放出口５１が形成されている。ベース板３７には、その放出口５１の後方に位置させて、ミスト放出口５２が形成されている。ミスト放出口５２は、野菜室４内の上部に連通している。放出口５１とミスト放出口５２とは連通していて、前記ミスト放出部４９からミストが放出されると、そのミストは、図６に矢印Ａで示すように、放出口５１からミスト放出口５２を通して野菜室４内に供給されるようになっている。
【００２１】
ここで、吸水ピン４８は、貯水タンク４３内の水Ｗを吸い上げて保水材４７及び導電性シート４６に供給する。保水材４７は、吸水ピン４８から供給された水を保持するとともに、その水を前記導電性シート４６に供給する。導電性シート４６は、吸水ピン４８及び保水材４７から供給された水をミスト放出部４９に供給する。この場合、吸水ピン４８、保水材４７、導電性シート４６は、ミスト放出部４９へ水分を供給する給水部を構成する。
【００２２】
霧化ユニット３８をユニット収容部４１にセットする際には、前記蓋４０を開放させた状態で、図６に矢印Ｂ１で示すように、開口部３９からユニット収容部４１内に挿入した後、後方へスライドさせることによって正規のセット位置にセットする。また、霧化ユニット３８をユニット収容部４１から取り出す際には、図６に矢印Ｂ２で示すように、手前にスライドさせた後、霧化ユニット３８を持ち上げて開口部３９から取り出すようにする。
【００２３】
霧化ユニット３８には、図７に示すように、給電ピン５４が後方へ向けて突出するように設けられている。この給電ピン５４は、基端部が導電部材５５を介して前記導電性シート４６に接続されている。霧化ユニット３８をユニット収容部４１内の正規の位置にセットすると、給電ピン５４の先端部が、ベース板３７側に設けられたコネクタ５８に挿入接続される。コネクタ５８は、電源装置５６の二次側の高電圧トランス５７の一端に接続されるようになっている。ここで、前記ミスト放出部４９には、導電性シート４６、給電ピン５４、コネクタ５８を介して、電源装置５６の負の高電圧（−数ｋＶ）が印加されるようになっている。電源装置５６の負の高電圧が各ミスト放出部４９に印加されると、各ミスト放出部４９の表面の水分が分裂して微細なミストとして放出されるようになる。静電霧化装置３６において、ミスト放出部４９に対する対極を、当該ミスト放出部４９の近傍には設置していない。
【００２４】
ユニット収容部４１内の底部には、霧化ユニット３８の位置決めをする位置決め凸部６０が設けられているとともに、霧化ユニット３８のセット状態を検出するユニット検出スイッチ６１が設けられている。また、ベース板３７の前部には、蓋スイッチ６２及びレバー６３が設けられている。蓋４０が閉鎖された状態では、蓋４０の押圧部６４を介してレバー６３が回動されることに基づき蓋スイッチ６２が押圧操作され、蓋４０が開放されると、蓋スイッチ６２に対する押圧操作が解除される。これにより、蓋４０の開閉を蓋スイッチ６２により検出する。
【００２５】
前記貯水タンク４３内には、図７に示すように、容器状をなすろ過フィルタ６５が設けられているとともに、そのろ過フィルタ６５内にイオン交換樹脂６６が収容されている。ユニット蓋４５には、そのろ過フィルタ６５に対応して下方へ延びる筒状の注水口６７が設けられている。ユニット蓋４５には、その注水口６７を開閉する注水蓋６８が着脱可能に装着されている。その注水蓋６８を外した状態で、注水口６７から貯水タンク４３内へ水を補給することができる。また、貯水タンク４３の内面には、例えば酸化チタンからなる光触媒６９が塗布されている。ユニット収容部４１内の底部には、紫外線を発する光源（例えば紫外線ＬＥＤ）７０が設けられている。この光源７０は、点灯時に貯水タンク４３に向けて紫外線を照射する。光触媒６９は、その紫外線を受けることで活性化し、除菌作用を発揮する。
【００２６】
前記野菜室４内には、図１に示すように、下部容器７２と、この下部容器７２の上部に配置された上部容器７３とが設けられている。上部容器７３は、下部容器７２よりも前後方向の長さが小さく形成されていて、下部容器７２の後部側に配置されている。上部容器７３の前端部が、前記ベース板３７の前記ミスト放出口５２の下方に位置するようになっている。そして、この状態で、ミスト放出口５２から野菜室４内へミストが放出されると、そのミストは下部容器７２と上部容器７３の両方に供給されるようになる。
【００２７】
冷蔵庫本体１の背部には、マイクロコンピュータを含む制御装置７５（図１参照）が設けられている。この制御装置７５は、冷凍サイクルのコンプレッサ１９や冷蔵用ファン１４、冷凍用ファン１７、自動製氷装置１２、給水機構２９のポンプ用モータ３０、静電霧化装置３６、光源７０など、冷蔵庫本体１の全体の動作を制御する機能を有していて、制御手段を構成する。制御装置７５は、特に、静電霧化装置３６に対しては、各貯蔵室の扉スイッチが扉の閉鎖を検出し、かつ、前記蓋スイッチ６２が蓋４０の閉鎖を検出し、さらに、ユニット検出スイッチ６１が霧化ユニット３８のセット状態を検出した状態でのみ静電霧化装置３６への通電を許容するが、いずれかの貯蔵室の扉が開放されたり、蓋４０が開放されたり、或いは霧化ユニット３８がセットされていないことを検出した場合には、静電霧化装置３６への通電を遮断する。また、制御装置７５は、所定時間ごとに光源７０を一定時間点灯制御する。
【００２８】
上記構成の作用を説明する。
霧化ユニット３８がユニット収容部４１内にセットされ、ユニット収容部４１の蓋４０が閉鎖され、かつ、各貯蔵室の扉が閉鎖された状態で、静電霧化装置３６が駆動されると、各ミスト放出部４９から微細なミストが放出され、そのミストがミスト放出口５２から野菜室４の上部容器７３及び下部容器７２内に供給される。そのミストは強い酸化作用を有するヒドロキシラジカルを含んでいて、そのヒドロキシラジカルを含むミストが野菜室４の上部容器７３及び下部容器７２内に供給されることで、それらの除菌や脱臭が可能になる。また、そのミストにより、それら上部容器７３及び下部容器７２内に収容された野菜等の鮮度保持等も期待できる。また、所定時間ごとに光源７０を一定時間点灯制御することで、貯水タンク４３内の光触媒６９が活性化され、貯水タンク４３内の除菌作用を期待できる。
【００２９】
ところで、静電霧化装置３６は、水が無くなるとミストを発生させることができなくなるため、定期的に水を補給する必要がある。また、使用に伴いミスト放出部４９の表面にぬめりのような汚れが付着して目詰まりが発生すると、ミストの放出性能が低下するため、例えば１年に１回程度、ミスト放出部４９を掃除することが好ましい。
【００３０】
このような場合には、冷蔵室３の扉３ａを開放した後、仕切板８前部８ａの蓋４０をスライドさせてユニット収容部４１の開口部３９を開放させる。そして、使用者はユニット収容部４１内に手を挿入して静電霧化装置３６の霧化ユニット３８を持ち、前方へスライドさせた後、持ち上げ、ユニット収容部４１から取り出す。このとき、コネクタ５８に対する給電ピン５４の接続が外れる。そして、水を補給するだけの場合には、注水蓋６８を外した状態で注水口６７から水を補給する。また、ミスト放出部４９も掃除する場合には、貯水タンク４３から上部ケース４４を外すとともに、上部ケース４４から放出部カバー５０を外し、ミスト放出部４９を露出させた状態でその掃除を行う。なお、水を補給するだけの場合には、霧化ユニット３８をユニット収容部４１にセットしたままで、注水蓋６８のみを外すことによっても行うことができる。
【００３１】
なお、水の補給や掃除が終わったら、霧化ユニット３８をもとのように組み立てた後、霧化ユニット３８をユニット収容部４１内に収容して正規の位置にセットする。このとき、給電ピン５４をコネクタ５８に挿入接続する。この後、蓋４０を前方へスライドして開口部３９を閉鎖し、冷蔵室３の扉３ａを閉鎖しておく。
【００３２】
上記した第１の実施形態によれば、次のような作用効果を得ることができる。
冷蔵室３と野菜室４との間の仕切板８に静電霧化装置３６を設置し、その静電霧化装置３６のミスト放出部４９から放出されたミストを主に野菜室４に供給する構成とした。これにより、強い酸化作用を有するヒドロキシラジカルを含むミストが野菜室４に供給されることで、その野菜室４内の除菌や脱臭が可能になる。また、そのミストにより、野菜等の鮮度保持等も期待できる。
【００３３】
静電霧化装置３６としては、ミスト放出部４９に対する対極を、当該ミスト放出部４９の近傍に設置していないため、ミスト放出部と対極との間でコロナ放電が発生していた従来構成のものとは異なり、課題の１つであるオゾンなどの有害ガスの発生を抑えることができ、安全性を向上させることができる。
【００３４】
静電霧化装置３６は水Ｗを貯留する貯水タンク４３を有し、この貯水タンク４３に貯留された水Ｗを、吸水ピン４８、保水材４７及び導電性シート４６を介して各ミスト放出部４９に供給する構成としている。これにより、ミスト放出部４９へ水を安定して供給することができるので、ミスト放出部４９からのミスト発生量も安定させることができる。
【００３５】
また、貯水タンク４３は霧化ユニット３８ごとユニット収容部４１に対して着脱可能であるから、貯水タンク４３への水の補給を容易に行うことができる。貯水タンク４３に合わせてミスト放出部４９も着脱可能であるから、そのミスト放出部４９の掃除も容易に行うことができる。
【００３６】
貯水タンク４３内にろ過フィルタ６５を設けたので、貯水タンク４３内に補給される水を浄化することができ、清潔な水をミスト放出部４９に供給することができる。これにより、ミスト放出部４９などに目詰まりが発生することを極力防止することができ、ミストの放出量の低下を防止することができるようになる。また、そのろ過フィルタ６５内にイオン交換樹脂６６を設けたので、貯水タンク４３内に貯留される水Ｗに含まれたミネラル分を、そのイオン交換樹脂６６により吸着することで除去することができる。これにより、ミスト放出部４９などにスケールが蓄積してしまうことを極力防止できて、目詰まりの発生を一層防止することができ、ミストの放出量の低下を一層防止できるようになる。これらにより、ミスト放出部４９の使用寿命を長くすることが可能になる。
【００３７】
加えて、所定時間ごとに光源７０を一定時間点灯制御することで、貯水タンク４３内の光触媒６９が活性化され、貯水タンク４３内の除菌作用を期待できる。これによっても、清潔な水をミスト放出部４９に供給することができる。したがって、ミスト発生手段として静電霧化装置を用いながらも、除菌作用のあるヒドロキシラジカルを含むミストを生成して貯蔵室に供給することができ、清潔で安全な冷蔵庫を提供することができる。
【００３８】
静電霧化装置３６の霧化ユニット３８は仕切板８の前部８ａに設置したので、その霧化ユニット３８に対する水の補給や、霧化ユニット３８の着脱が容易にできる。霧化ユニット３８のミスト放出部４９から放出されるミストが、野菜室４における上部容器７３と下部容器７２の両方に上方から供給される構成としたので、上部容器７３にも下部容器７２にもミストを供給することができる。
【００３９】
ミスト放出部４９に白金ナノコロイドを担持させることで、ミスト放出部４９から放出されるミストにヒドロキシラジカルが一層生成されやすくなり、除菌機能や脱臭機能を一層向上させることが可能になる。また、ミスト放出部４９に導電性物質（カーボン）を含ませたことにより、ミスト放出部４９の導電性を良好に維持することができる。
【００４０】
貯蔵室（冷蔵室３、野菜室４、製氷室５、小冷凍室、冷凍室７）の扉３ａ、４ａ，５ａ，６ａ，７ａのどれかが開放されると、静電霧化装置３６の通電が遮断される構成としているので、使用者が高電圧部に触れることを防止でき、安全性の向上を図ることができる。この場合、少なくとも冷蔵室３の扉３ａが開放されたときに、静電霧化装置３６の通電が遮断される構成とすればよい。また、本実施形態においては、静電霧化装置３６を収容したユニット収容部４１の蓋４０の開閉を検出する蓋スイッチ６２を設け、その蓋４０が開放されたときも、静電霧化装置３６の通電が遮断されるようにしているので、一層安全性を向上できる。さらに、ユニット収容部４１にユニット検出スイッチ６１を設け、霧化ユニット３８がセットされていないときも、静電霧化装置３６の通電が遮断されるようにしているので、一層安全性を向上できる。
【００４１】
（第２の実施形態）
次に本発明の第２の実施形態について、図８を参照して説明する。第１の実施形態と同一の部分には同一の符号を付して異なる部分について説明する。図８は、静電霧化装置７７の霧化ユニット７８を設置した部分を正面側から見た縦断正面図である。この図８において、霧化ユニット７８を収容するユニット収容部７９は、仕切板８に一体に設けられている。ユニット収容部７９の位置は、第１の実施形態におけるユニット収容部４１とほぼ同じ位置とされている。霧化ユニット７８は、ユニット収容部７９に着脱可能にセットされている。
【００４２】
ユニット収容部７９の上面開口部８０は、前後方向へスライド可能に設けられた蓋８１によって開閉されるようになっている。上面開口部８０には、蓋８１の開閉を検出する蓋スイッチ８２が設けられている。
【００４３】
霧化ユニット７８のユニットケース８４は上面が開口した矩形容器状をなし、内部に貯水タンク８５（貯水部に相当）が設けられている。貯水タンク８５には、霧化用の水Ｗが貯留されている。貯水タンク８５内には容器状をなすろ過フィルタ８６が着脱可能に収容され、このろ過フィルタ８６内にイオン交換樹脂８７が収容されている。
【００４４】
ユニットケース８４の上面には、貯水タンク８５を上方から覆うように、ユニット蓋８８が着脱可能に装着されている。ユニット蓋８８には、前記ろ過フィルタ８６の上方に位置させて、注水口８９を開閉する注水蓋９０が着脱可能に装着されている。ここで、貯水タンク８５へ水を補給する場合には、注水蓋９０を外した状態で、注水口８９からろ過フィルタ８６内へ給水する。このとき、補給された水Ｗは、ろ過フィルタ８６を通過する過程でろ過される。また、ろ過フィルタ８６内にはイオン交換樹脂８７が収容されているので、水Ｗに含まれたミネラル分はイオン交換樹脂８７に吸着されて除去されるようになる。したがって、貯水タンク８５内に収容された水Ｗは貯水タンク８５内で浄化され、その浄化された水Ｗが、後述する吸水ピン９１に供給されるようになる。
【００４５】
ユニットケース８４内の右部には、ピン保持ケース９２が着脱可能にセットされている。このピン保持ケース９２には、吸水ピン９１と、導電性シート９３と、保水材９４と、ピン状をなす複数本のミスト放出部９５と、給電ピン９６が設けられている。ここで、吸水ピン９１、導電性シート９３、保水材９４、ミスト放出部９５は、それぞれ第１の実施形態における吸水ピン４８、導電性シート４６、保水材４７、ミスト放出部４９と同様な材料により形成されている。
【００４６】
導電性シート９３は、ピン保持ケース９２内の最上部に配置されている。保水材９４は、上面が導電性シート９３の下面に接触する状態で配置されている。保水材９４は、導電性シート９３よりも厚く形成されている。各ミスト放出部９５は、それぞれの上端部が保水材９４を貫通して導電性シート９３に接触している。また、各ミスト放出部９５の下端部は、ピン保持ケース９２を貫通してユニットケース８４内に垂下する状態で突出している。ユニットケース８４の底壁部には、それらミスト放出部９５の下方に位置させて、多数の孔からなる放出口９７が形成されている。吸水ピン９１は、上端部が前記保水材９４に接触し、下端部は、ピン保持ケース９２を貫通して貯水タンク８５内の水Ｗの中に挿入された状態となっている。
【００４７】
ここで、吸水ピン９１は、貯水タンク８５内の水を吸い上げて保水材９４に供給する。保水材９４は、吸水ピン９１から供給された水を保持するとともに、その水を前記導電性シート９３及び各ミスト放出部９５に供給する。この場合、吸水ピン９１と保水材９４と導電性シート９３は、ミスト放出部９５へ水分を供給する給水部を構成する。
【００４８】
前記給電ピン９６は、上端部が保水材９４を貫通して導電性シート９３に接触している。給電ピン９６の下端部は、ピン保持ケース９２を貫通して下方に突出し、先端部が後方へ向けて突出している。したがって、給電ピン９６は、横から見てＬ字状をなしていて、霧化ユニット７８をユニット収容部７９内に収容した後、後方へスライドすることに伴い、後端部がコネクタ９８に挿入接続されるようになっている。コネクタ９８には、電源装置５６（図６参照）の負極が接続されるようになっている。この場合、電源装置５６の負の高電圧が給電ピン９６に印加されると、その電圧が、導電性シート９３及び水分を介して各ミスト放出部９５にも印加される。これに基づき、各ミスト放出部９５の表面の水分が分裂して微細なミストとして放出されるようになる。この静電霧化装置７７においても、ミスト放出部９５に対する対極を、当該ミスト放出部９５の近傍には設置していない。
【００４９】
ユニット収容部７９の底壁部には、前記放出口９７の下方に位置させて、ミスト放出口９９が形成されており、各ミスト放出部９５から放出されたミストは、そのミスト放出口９９を通して、下方の野菜室４内に供給されるようになる。野菜室４内に供給されたミストは、第１の実施形態と同様に、前記上部容器７３と下部容器７２の両方に上方から供給されるようになる。
この第２の実施形態においても、貯水タンク８５の内の底面に光触媒を設け、ユニット収容部７９側に紫外線を放射する光源を設けるようにしてもよい。
このような構成とした第２の実施形態においても第１の実施形態と同様な作用効果を得ることができる。
【００５０】
（第３の実施形態）
次に本発明の第３の実施形態について図９から図１３を参照して説明する。なお、第１及び第２の実施形態と同一部分には同一の符号を付して説明は省略し、異なる部分について説明する。
【００５１】
この第３の実施形態における静電霧化装置１０１の霧化ユニット１０２は、図９に示すように、仕切板８の上面において、小物ケース１０３の後方で、かつ製氷用給水タンク２０と水受け容器２８の右横となる位置に設置している。小物ケース１０３は、第１の実施形態における小物ケース２１よりも前後方向の長さが短く形成されている。
【００５２】
霧化ユニット１０２は、図１１〜図１３に示すように、仕切板８側に固定されるユニットベース１０４と、このユニットベース１０４に対して前方からのスライドにより着脱可能にセットされるユニットケース１０５とを備えている。ユニットベース１０４は、上面及び前面が開口したほぼ矩形箱状をなしていて、前部に横から見てＬ字形をなす蓋１０６が設けられている。この蓋１０６は、下端部を支点として前後方向に回動可能とされている。この蓋１０６において、図１１に示す閉鎖状態で上部となる部分に、後端部が開口した切欠部１０７が形成されているとともに、右側部に押圧片１０８が設けられている。切欠部１０７は、後述する給水パイプ１０９との干渉を避けるためのものである。ユニットベース１０４の右側壁の上部には、押圧片１０８によって操作される蓋スイッチ１１０が設けられている。蓋スイッチ１１０は、蓋１０６の開閉を検出する。
【００５３】
前記ユニットケース１０５には、図１３に示すように、左部に貯水タンク１１１（貯水部に相当）が一体に設けられていて、この貯水タンク１１１内に、イオン交換樹脂を収容したろ過フィルタ８６が収容されているとともに、フロート部材１１２が配設されている。フロート部材１１２は、水Ｗに浮くフロート部１１３と、一端部がフロート部１１３に連結された「へ」の字状をなすアーム部１１４と、このアーム部１１４の先端部に固着された永久磁石１１５とを有していて、アーム部１１４の中間部が軸１１６により貯水タンク１１１に回動可能に支持されている。
【００５４】
ここで、貯水タンク１１１内の水位が高い場合には、図１３に実線で示すように、フロート部１１３の位置が高くなるが、永久磁石１１５の位置は低くなる。そして、貯水タンク１１１内の水位が低くなると、図１３に二点鎖線で示すように、フロート部１１３の位置が低くなり、これにつれて永久磁石１１５の位置は高くなる。前記ユニットベース１０４の左側壁内には、２個の磁気センサ１１７と磁気センサ１１８が上下に設けられている。これら磁気センサ１１７，１１８とフロート部材１１２を用い、フロート部材１１２の永久磁石１１５の位置を磁気センサ１１７，１１８により検出することで、貯水タンク１１１内の水位を検出することができ、また、永久磁石１１５の磁束の有無を磁気センサ１１７，１１８により検出することで、ユニットケース１０５がユニットベース１０４にセットされているか否かを検出することができる。
【００５５】
ユニットケース１０５の上部には、ユニット蓋１２０が着脱可能に設けられている。このユニット蓋１２０には、前記ろ過フィルタ８６の上方に位置させて注水口１２１が形成されている。ユニットケース１０５の右部には、第２の実施形態と同様なピン保持ケース９２が着脱可能に設けられている。このピン保持ケース９２には、導電性シート９３と、保水材９４と、複数本のミスト放出部９５と、吸水ピン９１と、給電ピン９６が設けられている。この場合も、給電ピン９６は、下部が後方に向けて曲げられていて、全体としてはＬ字形をなしている。そして、ユニットベース１０４の底部には、前向きに開口したコネクタ１２２が設けられていて、ピン保持ケース９２を装着したユニットケース１０５を、ユニットベース１０４に前方から挿入した際に、給電ピン９６の先端部がコネクタ１２２に前方から挿入接続される構成となっている。複数本のミスト放出部９５の下端部は、ユニットケース１０５の外側に位置している。
【００５６】
ユニットベース１０４の底壁部には、ミスト放出部９５の下方に位置させて、複数の孔からなる放出口１２３が形成されている。また、仕切板８には、その放出口１２３に対応する部位にミスト放出口１２４（図１３参照）が形成されている。したがって、この場合、ミスト放出部９５から放出されたミストは、放出口１２３及びミスト放出口１２４を通して、下方の野菜室４内に供給される。
【００５７】
この場合、静電霧化装置１０１の霧化ユニット１０２は、図１０に示すように、野菜室４内の上部容器７３の左後部の上方に位置することになる。したがって、霧化ユニット１０２の各ミスト放出部９５は、すべて上部容器７３に上方から臨むことになり、ミスト放出口１２４から放出されたミストは、上部容器７３のみに供給されることになる。このため、本実施形態においては、上部容器７４の底部にスリット状の通気部１２５を複数個形成している。これにより、上部容器７３内に供給されたミストを、その通気部１２５を通して下部容器７２内にも供給することができる。
【００５８】
次に、静電霧化装置１０１の霧化ユニット１０２への自動給水構造について、主に図９を用いて説明する。製氷用給水タンク２０に、静電霧化装置１０１向けの専用の給水機構１２７を設けている。この給水機構１２７は、前記給水機構２９と同様に、水受け容器２８の下方に設けられたポンプ用モータ１２８と、このポンプ用モータ１２８により回転される永久磁石１２９と、製氷用給水タンク２０に設けられ永久磁石１２９によって回転されるポンプ１３０と、このポンプ１３０により汲み上げられた水を前記霧化ユニット１０２の注水口１２１から貯水タンク１１１に導く給水パイプ１０９とによって構成されている。給水パイプ１０９の先端部は、注水口１２１に上方から臨んでいる（図１１、図１２参照）。この給水機構１２７により、製氷用給水タンク２０内の水を、霧化ユニット１０２へ必要な量だけ自動的に供給する構成となっている。給水機構１２７のポンプ用モータ１２８も前記制御装置７５によって制御する構成とする。
【００５９】
上記した実施形態によれば、特に次のような作用効果を得ることができる。
製氷用給水タンク２０の水を給水機構１２７により静電霧化装置１０１の霧化ユニット１０２へ自動的に供給する構成としたので、静電霧化装置１０１への給水を自動化でき、使用者が静電霧化装置１０１へ逐一給水するという手間を省くことができる。この実施形態においては、製氷用給水タンク２０は、静電霧化装置１０１の貯水部を兼ねている。
【００６０】
静電霧化装置１０１の霧化ユニット１０２は、仕切板８の後部に設置するようにしたので、製氷用給水タンク２０から水受け容器２８へ給水する給水経路の近くになり、自動給水化が容易にできる。
【００６１】
霧化ユニット１０２のミスト放出部９５は、野菜室４における上部容器７３の上方に臨むように配置されているが、その上部容器７３の底部に通気部１２５を形成しているので、ミスト放出部９５から放出されたミストを、上部容器７３に供給できるとともに、通気部１２５を介して下部容器７２にも供給することができる。
【００６２】
貯水タンク１１１内に設けた、永久磁石１１５を有するフロート部材１１２と、ユニットベース１０４に設けた磁気センサ１１７，１１８により、貯水タンク１１１内の水位を検出することができる。これに伴い、制御装置７５が、貯水タンク１１１内の水Ｗが無くなったことを検出した場合に、その報知をすることが可能となる。また、ユニットベース１０４に対してユニットケース１０５がセットされたか否かを検出することができるので、ユニットベース１０４に対してユニットケース１０５がセットされていないと判断した場合には、静電霧化装置１０１への通電をしないようにできる。
【００６３】
（第４の実施形態）
図１４は本発明の第４の実施形態を示したものである。この第４の実施形態は、上記した第３の実施形態とは次の点が異なっている。すなわち、第１の実施形態の給水機構２９における給水パイプ３３の途中部に切替弁１３２を設けるとともに、この切替弁１３２に分岐パイプ１３３を設け、この分岐パイプ１３３の先端部を、第３の実施形態における前記霧化ユニット１０２の注水口１２１に臨ませている。
【００６４】
この場合、切替弁１３２により、製氷用給水タンク２０の水を給水パイプ３３を通して水受け容器２８側へ供給する場合と、分岐パイプ１３３を通して霧化ユニット１０２側へ供給する場合の切り替えが可能となっている。切替弁１３２も制御装置７５によって制御する構成とする。
このような構成とした第４の実施形態においても、第３の実施形態と同様な作用効果を得ることができる。
【００６５】
（第５の実施形態）
次に本発明の第５の実施形態について図１５を参照して説明する。なお、第１の実施形態と同一部分には同一の符号を付して説明は省略し、異なる部分について説明する。
【００６６】
この実施形態における静電霧化装置１３５は、冷蔵室３内の後部において、チルド室２３の上方で、かつ冷気ダクト１５の冷気吹出し口１５ａの前方に位置させて設置されている。静電霧化装置１３５の霧化ユニット１３６を収容するユニットベース１３７は、チルド室２３の上方に設置された下部棚板１３８上に固定されている。
【００６７】
ユニットベース１３７は、後面及び前面が開口していて、前面に前面開口部を開閉する蓋１３９が設けられている。蓋１３９は、上端部が軸１４０にてユニットベース１３７に回動可能に支持されていて、その軸１４０を支点に前後方向に回動可能とされている。ユニットベース１３７の上部には、蓋１３９の開閉を検出する蓋スイッチ１４１が設けられている。下部棚板１３８にはストッパ部１４２が設けられている。このストッパ部１４２は、蓋１３９が開放方向に移動することを規制するためのもので、使用者が蓋１３９を開放させる際にはその規制を解除することができるようになっている。蓋１３９には、ミストを通過させるためのミスト放出口１４３が形成されている。
【００６８】
霧化ユニット１３６は、補助タンク１４４と、ピン状をなす複数本のミスト放出部１４５と、導電性シート１４６と、保水材１４７と、吸水ピン１４８と、放出部カバー１４９とを有していて、ユニットベース１３７に対して前方から出し入れ可能に収納されるようになっている。
【００６９】
ミスト放出部１４５、導電性シート１４６、保水材１４７、吸水ピン１４８は、第１の実施形態におけるミスト放出部４９、導電性シート４６、保水材４７、吸水ピン４８と同種の材料により形成されている。各ミスト放出部１４５は、下端部が導電性シート１４６に接触し、先細状をなす上端部が上に向けられている。導電性シート１４６の下に保水材１４７が配置されている。吸水ピン１４８は、上端部が保水材１４７を貫通して導電性シート１４６に接触し、下端部が補助タンク１４４内に貯留された水Ｗの中に挿入されている。
【００７０】
保水材１４７には、当該保水材１４７と同様な材料により形成された吸水性に優れた吸水材１５０の一端部が接続されている。吸水材１５０の他端部は、冷蔵用冷却器１３の下方に設置された水受け部１５１内に挿入されている。水受け部１５１は、冷蔵用冷却器１３の除霜の際の除霜水を受けるように配置されている。水受け部１５１に受けられた水（除霜水）は、吸水材１５０を介して前記保水材１４７に供給されるようになっている。
【００７１】
この場合、保水材１４７には、水受け部１５１内の水が吸水材１５０を介して供給されるとともに、補助タンク１４４内の水が吸水ピン１４８を介して供給される構成となっている。したがって、ミスト放出部１４５には、水受け部１５１内の水と補助タンク１４４内の水との両方を供給できる構成となっている。この場合、吸水ピン１４８、吸水材１５０、保水材１４７、導電性シート１４６は、ミスト放出部１４５へ水分を供給する給水部を構成する。
【００７２】
前記放出部カバー１４９はミスト放出部１４５を覆うように配置され、ミストが通過する多数の孔を有している。霧化ユニット１３６には、後方に向けて突出する給電ピン１５４が設けられている。霧化ユニット１３６を正規の位置にセットすることに伴い、その給電ピン１５４が、ユニットベース１３７側に設けられたコネクタ１５５に挿入接続される。コネクタ１５５は、電源装置１５６の高電圧トランス１５７の一端に接続されている。
【００７３】
この場合も、ミスト放出部１４５には、導電性シート１４６、給電ピン１５４、コネクタ１５５を介して、電源装置１５６の負の高電圧が印加されるようになっている。電源装置１５６の負の高電圧が各ミスト放出部１４５に印加されると、各ミスト放出部１４５の表面の水分が分裂して微細なミストとして放出されるようになる。静電霧化装置１３５において、ミスト放出部１４５に対する対極を、当該ミスト放出部１４５の近傍には設置していない。
【００７４】
上記構成において、静電霧化装置１３５が駆動されると、各ミスト放出部１４５からヒドロキシラジカルを含む微細なミストが放出される。そのミストは、冷気ダクト１５の冷気吹出し口１５ａから冷蔵室３内に吹き出される冷気の流れととともに、蓋１３９のミスト放出口１４３を通して冷蔵室３の前方に向けて供給される（矢印Ｃ参照）。冷蔵室３内に供給されたミストは、冷気とともに下方の野菜室４にも供給されるようになる。
【００７５】
上記した実施形態によれば、次のような作用効果を得ることができる。
静電霧化装置１３５を、冷蔵室３内において、冷気吹出し口１５ａの前方に配置しているので、ミスト放出部１４５から放出されたミストを冷蔵室３及び野菜室４にも供給することができ、それらの除菌及び脱臭の作用を期待することができる。また、そのミストにより、野菜等の鮮度保持等も期待できる。
【００７６】
静電霧化装置１３５において使用する水として、水受け部１５１にて受けた除霜水も利用しているので、静電霧化装置１３５への給水を自動化でき、使用者が静電霧化装置１３５へ給水する手間を極力省くことができる。なお、補助的に補助タンク１４４へ水を貯留しておくことができる。
【００７７】
（第６の実施形態）
次に本発明の第６の実施形態について図１６及び図１７を参照して説明する。なお、第１の実施形態と同一部分には同一の符号を付して説明は省略し、異なる部分について説明する。
【００７８】
冷蔵室３の下部後部における冷蔵用冷却器１３の前部には、断熱材製の断熱材カバー１６０を介して、合成樹脂製のＲエバカバー１６１が設けられている。Ｒエバカバー１６１は、ねじ１６２（図１６の破線参照）により冷蔵室３の後部に固定されている。なお、ねじ１６２の取付部分は、前方からシール１６２ａにより覆われている。断熱材カバー１６０には、冷蔵用冷却器１３の前面に対応する部位に位置させて開口部１６３が形成されている。Ｒエバカバー１６１の前面には、露受け樋１６４がＲエバカバー１６１に一体に設けられている。なお、冷蔵用冷却器１３は、周知のように、冷媒が通る冷媒パイプ１３ａと、多数枚の冷却板１３ｂを備えて構成されていて、冷媒パイプ１３ａは蛇行状に配置されている。
【００７９】
露受け樋１６４は、図１６に示すように、前記静電霧化装置３６の後部に対応する部分に設けられた上下方向に延びる縦樋１６５と、この縦樋１６５から左方向及び右方向に上昇傾斜して延びる傾斜樋１６６とを備えている。左右の傾斜樋１６６は、側面から見てＬ字形のリブによって形成されていて、Ｒエバカバー１６１の前面に結露した露を受けやすい形状となっている。これら左右の傾斜樋１６６は前記縦樋１６５に向けて下降傾斜する形態となっていて、これら傾斜樋１６６にて受けられた結露水は、縦樋１６５に向けて流される。
【００８０】
冷蔵室３の底部を構成する前記仕切板８には、結露水案内樋１６７（図１７参照）が設けられている。この結露水案内樋１６７は、後端部が前記縦樋１６５の下端部に接続されている。結露水案内樋１６７の前部は、仕切板８における前後方向へスライド可能な蓋４０の下にもぐり込むようにして、前記静電霧化装置３６におけるユニット蓋４５と蓋４０との間に挿入されるように前方へ延びている。この場合、ユニット蓋４５と蓋４０との間には、結露水案内樋１６７を挿入することが可能な隙間が形成されている。結露水案内樋１６７の先端部の出口１６７ａは、ユニット蓋４５に形成された注水用の開口部１６８に上方から臨むように配置されている。
【００８１】
上記構成において、冷蔵用冷却器１３を覆う断熱材カバー１６０には開口部１６３が形成されているので、冷蔵用冷却器１３により冷却された冷気がその開口部１６３を通してＲエバカバー１６１に接し易くなり、Ｒエバカバー１６１が冷却され易くなる。これに伴い、Ｒエバカバー１６１の前面には結露が生じやすくなる。その結露は水滴となってＲエバカバー１６１の前面を垂れ落ちるようになり、垂れ落ちた結露水は露受け樋１６４の傾斜樋１６６にて受けられる。傾斜樋１６６にて受けられた結露水は、縦樋１６５に向けて流れた後、その縦樋１６５及び結露水案内樋１６７を通り、結露水案内樋１６７の出口１６７ａから静電霧化装置３６の開口部１６８を通して導電性シート４６上に供給されるようになる。この導電性シート４６に供給された水（結露水）も、ミスト放出部４９に供給されるようになり、ミスト放出部４９からミストとして放出されるようになる。
この場合、Ｒエバカバー１６１、露受け樋１６４、結露水案内樋１６７も、ミスト放出部４９へ水分を供給する給水部を構成する。
【００８２】
上記した実施形態によれば、特に、静電霧化装置３６において使用する水として、Ｒエバカバー１６１の露受け樋１６４にて受けた結露水も利用しているので、静電霧化装置３６への給水を自動化でき、使用者が静電霧化装置３６へ給水する手間を極力少なくすることが可能になる。
【００８３】
（第７の実施形態）
次に本発明の第７の実施形態について図１８及び図１９を参照して説明する。なお、第６の実施形態と同一部分には同一の符号を付して説明は省略し、異なる部分について説明する。
【００８４】
この場合、Ｒエバカバー１６１を固定するねじ１６２の取付箇所を、冷蔵用冷却器１３の冷媒パイプ１３ａの近傍としている。具体的には、Ｒエバカバー１６１には、図１９に示すように、露受け樋１６４における左右の傾斜樋１６６の近傍に位置させて後方へ向けて突出する筒状のねじ取付部１７０が一体に設けられていて、このねじ取付部１７０が、断熱材カバー１６０に形成された開口部１７１を貫通し、かつ冷媒パイプ１３ａの近傍を通って冷蔵室３の後部に達している。そして、そのねじ取付部１７０に取り付けたねじ１６２を、冷蔵室３後部の内箱１７２に取り付けている。なお、ねじ取付部１７０の前面にはシール１６２ａを貼り付けていて、そのシール１６２ａにより、ねじ取付部１７０の前面開口部を覆っている。
【００８５】
上記構成においては、Ｒエバカバー１６１を固定するためのねじ取付部１７０を、冷蔵用冷却器１３の冷媒パイプ１３ａの近傍に配置したことで、ねじ１６２及びねじ取付部１７０を介してＲエバカバー１６１が冷却され易くなり、これによってＲエバカバー１６１の前面に結露が生じ易くなるようにしている。
【００８６】
上記した実施形態においても、第６の実施形態と同様に、Ｒエバカバー１６１の前面に結露した結露水を、露受け樋１６４及び結露水案内樋１６７を通して静電霧化装置３６に供給することができる。したがって、静電霧化装置３６において使用する水として、Ｒエバカバー１６１の露受け樋１６４にて受けた結露水も利用できるので、静電霧化装置３６への給水を自動化でき、使用者が静電霧化装置３６へ給水する手間を極力少なくすることが可能になる。
【００８７】
（第８の実施形態）
次に本発明の第８の実施形態について図２０及び図２１を参照して説明する。なお、第１の実施形態と同一の部分には同一の符号を付して説明は省略し、異なる部分について説明する。
【００８８】
仕切板８上に設置される製氷用給水タンク１８０の上部には、給水タンク蓋１８１が着脱可能に設けられている。この製氷用給水タンク１８０は、自動製氷装置（製氷装置）１２（図１参照）の製氷皿１１へ供給する水を貯留するもので、仕切板８上の冷蔵室３内に着脱可能にセットされる。製氷用給水タンク１８０と、自動製氷装置１２用の水受け容器２８との間には、第１の実施形態と同様な給水機構２９が設けられている。
【００８９】
そして、給水タンク蓋１８１の後部（図２０において右部）の上面には、静電霧化装置１８２の霧化ユニット１８３が設置されている。霧化ユニット１８３は、ユニットケース１８４と、このユニットケース１８４内に配置された導電性シート１８５及び保水材１８６と、吸水部を構成する吸水ピン１８７と、複数本のミスト放出部１８８とを備えている。このうち、導電性シート１８５、保水材１８６、吸水ピン１８７、ミスト放出部１８８は、第１の実施形態における導電性シート４６、保水材４７、吸水ピン４８と、ミスト放出部４９と同様の材料により形成されている。
【００９０】
吸水ピン１８７は上下方向に長く形成されていて、その上端部は、ユニットケース１８４内において保水材１８６を貫通して導電性シート１８５に接触し、下端部は、給水タンク蓋１８１を貫通して製氷用給水タンク１８０内に上方から挿入されている。吸水ピン１８７の下端部は、製氷用給水タンク１８０内の底部付近まで達している。吸水ピン１８７は、特に水分の吸い上げ特性に優れていて、製氷用給水タンク１８０内の水を吸い上げて保水材１８６及び導電性シート１８５を介してミスト放出部１８８に供給する。この場合、吸水ピン１８７、保水材１８６、導電性シート１８５は、ミスト放出部１８８へ水分を供給する給水部を構成する。また、製氷用給水タンク１８０は、ミスト放出部１８８へ供給する水を貯留する貯水部を構成する。
【００９１】
霧化ユニット１８３の後部には、図２１に示すように、二股状の給電ピン１９０が後方に向けて設けられている。この給電ピン１９０は、図示しない導電部材を解して前記導電性シート１８５に電気的に接続されている。製氷用給水タンク１８０の後方に存する冷気ダクト１５には、トランスケース１９１が設けられていて、このトランスケース１９１に、高電圧トランス１９２が収納されているとともに、一端部がこの高電圧トランス１９２に接続された電極ピン１９３が前方に向けて設けられている。電極ピン１９３は、高電圧トランス１９２の負極に接続されている。トランスケース１９１の前部には、電極ピン１９３を囲繞するように保護筒部１９４が設けられている。
【００９２】
この場合、霧化ユニット１８３を給水タンク蓋１８１上に設置した状態で、製氷用給水タンク１８０を、仕切板８上を前方から後方（図２０において左方から右方）に向けてスライドさせて正規の位置にセットすることに伴い、霧化ユニット１８３の給電ピン１９０が、保護筒部１９４内に挿入されるともに、高電圧トランス１９２側の電極ピン１９３に電気的及び機械的に接続された状態となる。この接続状態で、霧化ユニット１８３のミスト放出部１８８には、高電圧トランス１９２から負の高電圧（−数ｋＶ）が、電極ピン１９３、給電ピン１９０、図示しない導電部材、導電性シート１８５を介して印加され、これに基づきミスト放出部１８８から微細なミストが放出されるようになる。ユニットケース１８４には、ミスト放出部１８８の下方に位置させて放出口１９５が形成されていて、ミスト放出部１８８から放出されたミストは、その放出口１９５から冷蔵室３内へ供給されるようになる。なお、製氷用給水タンク１８０を、セット位置から外すべく前方へスライドさせると、給電ピン１９０と電極ピン１９３の接続が解除される。
上記した実施形態によれば、特に次のような作用効果を得ることができる。
【００９３】
静電霧化装置１８２の霧化ユニット１８３を、製氷用給水タンク１８０の給水タンク蓋１８１に設置し、霧化ユニット１８３の吸水ピン１８７を製氷用給水タンク１８０内に挿入し、その吸水ピン１８７が吸い上げた製氷用給水タンク１８０内の水をミスト放出部１８８に供給する構成とした。これにより、製氷用給水タンク１８０を、静電霧化装置１８２の貯水部としても利用でき、製氷用給水タンク１８０への１回の給水作業で、自動製氷装置１２と静電霧化装置１８２の２つのシステムへの給水が可能となり、給水作業の作業性を向上できる。また、静電霧化装置１８２としては、製氷用給水タンク１８０を貯水部として利用できるので、貯水部を別途設ける必要がなく、設置スペースを小さくできる利点もある。
【００９４】
（第９の実施形態）
次に本発明の第９の実施形態について図２２を参照して説明する。なお、第１の実施形態と同一の部分には同一の符号を付して説明は省略し、異なる部分について説明する。
【００９５】
野菜室４において、仕切板８の下方（静電霧化装置３６を設置するためのベース板３７の下方）には、当該仕切板８の下面に沿うようにカバー２００が設けられていて、このカバー２０と、仕切板８及びベース板３７との間の空間部を、冷気通路２０１としている。この冷気通路２０１は、図２２に矢印Ｄで示すように、野菜室４の後部から前方へ向けて吹き出される冷気を、野菜室４前部に収納されるペットボトル２０２などに送ってこれらを冷やすためのものである。
【００９６】
そして、前記ベース板３７には、霧化ユニット３８の下方に位置させてミスト放出口２０３を設けている。このミスト放出口２０３は、霧化ユニット３８におけるミスト放出部４９（図６参照）の下方、この場合ほぼ真下で、かつ前記冷気通路２０１に上方から臨む位置に設けている。
【００９７】
上記構成において、霧化ユニット３８におけるミスト放出部４９からミストが放出されると、そのミストは、ベース板３７のミスト放出口２０３から冷気通路２０１に放出され、冷気通路２０１を後部から前方へ向けて流れる冷気（矢印Ｄ参照）に沿って野菜室４の前部に向けて流されて、野菜室４内に供給される。
【００９８】
このとき、ミスト放出口２０３は、ミスト放出部４９のほぼ真下に存し、かつ冷気通路２０１に上方から臨んでいるので、ミスト放出部４９から放出されたミストがベース板３７の内底面などに衝突することが極力抑えられ、ミストがベース板３７の内底面などに付着して減少してしまうことを極力防止することができる。しかも、ミスト放出部４９から放出されたミストは、冷気通路２０１を後部から前方へ向けて流れる冷気に引き込まれるようになるので、冷気通路２０１側へ流出しやすくなり、ミストがベース板３７の内底面などに衝突して減少してしまうことを一層抑えることができ、一層多くのミストを野菜室４内に供給することが可能になる利点がある。
【００９９】
本明細書によれば、ミスト発生装置として超音波式の霧化装置を用いたものでは、ミストの粒径が大きく、ミスト発生装置の貯留水の中に含まれた汚れ成分もミストとして飛ばされてしまい、それが貯蔵室へ供給されてしまうおそれがある。一方、静電霧化装置を用いたものでは、ミストの粒径を細かくできる（例えば数ｎｍ〜数十ｎｍレベル）。その目的は、ミスト発生手段として霧化装置を用い、ミストを生成して貯蔵室に供給することができ、清潔で安全な冷蔵庫を提供することにある。
【符号の説明】
【０１００】
図面中、３は冷蔵室（貯蔵室）、４は野菜室（貯蔵室）、８は仕切板、１２は自動製氷装置（製氷装置）、１３は冷蔵用冷却器（冷却器）、１５ａは冷気吹出し口、２０は製氷用給水タンク（貯水部）、２９は給水機構、３６は静電霧化装置（霧化装置）、３７はベース板（板）、３８は霧化ユニット、４０は蓋、４３は貯水タンク（貯水部）、４６は導電性シート（給水部）、４７は保水材（給水部）、４８は吸水ピン（給水部）、４９はミスト放出部、５１は放出口、５２はミスト放出口、５４は給電ピン、５６は電源装置、６２は蓋スイッチ、６５はろ過フィルタ、６６はイオン交換樹脂、７２は下部容器、７３は上部容器、７５は制御装置、７７は静電霧化装置（霧化装置）、７８は霧化ユニット、８１は蓋、８２は蓋スイッチ、８５は貯水タンク（貯水部）、８６はろ過フィルタ、８７はイオン交換樹脂、９１は吸水ピン（給水部）、９３は導電性シート（給水部）、９４は保水材（給水部）、９５はミスト放出部、９６は給電ピン、１０１は静電霧化装置（霧化装置）、１０２は霧化ユニット、１０６は蓋、１１１は貯水タンク（貯水部）、１２５は通気部、１２７は給水機構、１３２は切替弁、１３５は静電霧化装置（霧化装置）、１３６は霧化ユニット、１３９は蓋、１４１は蓋スイッチ、１４４は補助タンク（貯水部）、１４５はミスト放出部、１４６は導電性シート（給水部）、１４７は保水材（給水部）、１４８は吸水ピン（給水部）、１５０は吸水材（給水部）、１５１は水受け部（貯水部）、１５４は給電ピン、１５６は電源装置、１６１はＲエバカバー（給水部）、１６４は露受け樋（給水部）、１６７は結露水案内樋（給水部）、１８０は製氷用給水タンク（貯水部）、１８２は静電霧化装置（霧化装置）、１８３は霧化ユニット、１８５は導電性シート（給水部）、１８６は保水材（給水部）、１８７は吸水ピン（吸水部、給水部）、１８８はミスト放出部、２０１は冷気通路、２０３はミスト放出口
を示す。
【図１】
2020176827.tif 000003
【図２】
2020176827.tif 000004
【図３】
2020176827.tif 000005
【図４】
2020176827.tif 000006
【図５】
2020176827.tif 000007
【図６】
2020176827.tif 000008
【図７】
2020176827.tif 000009
【図８】
2020176827.tif 000010
【図９】
2020176827.tif 000011
【図１０】
2020176827.tif 000012
【図１１】
2020176827.tif 000013
【図１２】
2020176827.tif 000014
【図１３】
2020176827.tif 000015
【図１４】
2020176827.tif 000016
【図１５】
2020176827.tif 000017
【図１６】
2020176827.tif 000018
【図１７】
2020176827.tif 000019
【図１８】
2020176827.tif 000020
【図１９】
2020176827.tif 000021
【図２０】
2020176827.tif 000022
【図２１】
2020176827.tif 000023
【図２２】
2020176827.tif 000024